(57)【要約】  医療用コネクタがボディを備えてよく、ボディは流体路と共に入口と、出口と、ルアー部と、流体路を通って延在するポストとを有する。ラッチ部材を有するアームがボディに連結されて、相互コネクタの外面上の隆起又はねじ山と係合する。アームは延長部も備える。コネクタが開放位置にあるときはラッチ部材が相互コネクタの出口からの後退を規制する。シール部がボディに連結され、出口、又は軸線に沿って圧縮するベローズ部を跨いで延在する蓋を備える。閉鎖位置では、ポストはルアー部を通る流れを規制する。開放位置では、ポストはルアー部を通る流れを許容する。
2018519937.tif 000002
【特許請求の範囲】
【請求項１】
医療用コネクタであって、
ボディであって、入口、空洞、前記ボディのルアー部を通る出口、前記入口から前記出口まで前記空洞を通る流体路、及び前記入口と前記出口との間の軸線を有するボディと、
前記ルアー部内の前記流体路を通って延在するポストであって、前記コネクタが閉鎖位置にあるときは前記ルアー部を通る流れを規制し、前記コネクタが開放位置にあるときは前記ルアー部を通る流れを許容するポストと、
前記出口において前記ボディに連結され、前記出口を跨いで延在するように構成されたシール部と、
前記ボディに枢動可能に連結され、第１端部、対向する第２端部、及び前記第１端部から前記軸線に向かって延在するラッチ部材を有する第１アームとを備え、
嵌合ルアーを有する相互コネクタが、前記コネクタが開放位置にあるときは前記ラッチ部材が前記相互コネクタの前記出口からの後退を規制するように前記ボディに流体連結する、医療用コネクタ。
【請求項２】
前記ボディの前記ルアー部が、前記コネクタが開放位置にあるときは前記相互コネクタの前記嵌合ルアー内に配置される、請求項１に記載の医療用コネクタ。
【請求項３】
前記ラッチ部材が、傾斜面と、前記傾斜面に対して横方向に延在する係合面と、前記傾斜面と前記係合面との間を移行する頂点領域とを備える、請求項１に記載の医療用コネクタ。
【請求項４】
前記係合面が、前記相互コネクタの外面上の隆起又はねじ山の少なくとも１つと係合する、請求項３に記載の医療用コネクタ。
【請求項５】
前記第２端部の前記軸線に向かって付勢されると、前記第１端部が前記軸線から離れる、請求項１に記載の医療用コネクタ。
【請求項６】
前記コネクタ及び前記相互コネクタが前記軸線周りに個別に回転可能である、請求項１に記載の医療用コネクタ。
【請求項７】
前記シール部が、前記出口の縁部から前記軸線に向かって延在する少なくとも１つの蓋を備える、請求項１に記載の医療用コネクタ。
【請求項８】
前記蓋の、前記出口の前記縁部からの長さが、前記蓋が前記ボディの内部へとずれた場合に前記ルアー部から解放されるように、前記出口の前記縁部と前記ルアー部との間の距離よりも短い、請求項７に記載の医療用コネクタ。
【請求項９】
前記シール部が、前記軸線を中心にして円形に配置され、前記軸線に沿って圧縮するように構成されたベローズ部を備える、請求項１に記載の医療用コネクタ。
【請求項１０】
前記第１アームが前記軸線に沿った点周りに枢動可能である、請求項１に記載の医療用コネクタ。
【請求項１１】
前記入口と前記出口との間で、前記ボディの外面及び前記第１アームの内面の少なくとも１つが、他方である前記ボディの前記外面又は前記第１アームにおける凹部と嵌合する少なくとも１つの突起を備える、請求項１に記載の医療用コネクタ。
【請求項１２】
均等な力を加えた場合に、前記第１端部と前記突起との間のモーメントが前記第２端部と前記突起との間のモーメントよりも小さい、請求項１１に記載の医療用コネクタ。
【請求項１３】
延長部が前記第１端部と前記突起との間の前記第１アームに連結され、前記延長部の前記軸線に向かって付勢されると前記第１端部の前記軸線から離れるように付勢されるようにする、請求項１１に記載の医療用コネクタ。
【請求項１４】
前記延長部の少なくとも一部が前記軸線を越えて延在する、請求項１３に記載の医療用コネクタ。
【請求項１５】
第１端部及び対向する第２端部を有する第２アームが前記ボディに枢動可能に連結される、請求項１に記載の医療用コネクタ。
【請求項１６】
前記第１アームの前記第１端部及び前記第２アームの前記第１端部が、前記第１アームの前記第２端部及び前記第２アームの前記第２端部の前記軸線に向かって付勢されると前記軸線から離れる、請求項１５に記載の医療用コネクタ。
【請求項１７】
前記第２アームが、前記第１端部から前記軸線に向かって延在するラッチ部材を備える、請求項１５に記載の医療用コネクタ。
【請求項１８】
前記第１アーム及び前記第２アームが、前記突起と嵌合するように構成されたスロットを備えたブリッジに枢動可能に連結される、請求項１５に記載の医療用コネクタ。
【請求項１９】
前記ブリッジのガイド部が前記出口へと延在し、前記ガイド部が、前記軸線に向かって延在する傾斜面を備え、嵌合ルアーを有する前記コネクタを前記出口と並べるように構成される、請求項１８に記載の医療用コネクタ。
【請求項２０】
医療用コネクタであって、前記医療用コネクタが、
ボディであって、入口、空洞、前記ボディのルアー部を通る出口、前記入口から前記出口まで前記空洞を通る流体路、及び前記入口と前記出口との間の軸線を有するボディと、
前記ボディに枢動可能に連結され、第１端部、対向する第２端部、及び前記第１端部から前記軸線に向かって延在するラッチ部材を有する第１アームとを備え、
前記コネクタが閉鎖位置にあるときは、前記出口において前記ボディに連結されたシール部が前記出口を跨いで延在し、前記コネクタが開放位置にあるときは、嵌合ルアーを有する相互コネクタが前記シール部を通って延在する、医療用コネクタ。
【請求項２１】
前記コネクタが開放位置にあるときは、前記相互コネクタが前記ボディに流体連結する、請求項２０に記載の医療用コネクタ。
【請求項２２】
前記コネクタが開放位置にあるときは、前記ラッチ部材が前記相互コネクタの前記出口からの後退を規制する、請求項２０に記載の医療用コネクタ。
【発明の詳細な説明】
【技術分野】
【０００１】
本開示は、概して流体送達の用途に使用される医療用コネクタに関する。より具体的には、本開示は、ラッチを介して相互コネクタと連結して、相互コネクタと連結されるとその内部の流通を可能にするように構成されるコネクタに関する。
【背景技術】
【０００２】
医療用コネクタは、静脈内輸液ラインや血液アクセス、血液透析、腹膜透析、経腸栄養、薬剤バイアルアクセス等との接続に用いられるような流体送達システムに広く使用されている。先行技術における多くの無菌医療用コネクションは、鋭利な中空皮下注射針によって、その片側が流体と接触した弾性のダイヤフラム又はセプタムを穿刺するように設計されている。これらのコネクタは、皮下注射針を必要とせず代わりにルアー等の作動器具をシリンジ又は静脈ラインの端部で使用してコネクタ内の弁を通る流体路を作り出すルアー作動コネクタに置き換えられつつある。作動器具を取り外すと、弁は閉弁する。
【発明の概要】
【課題を解決するための手段】
【０００３】
本明細書に記載されるのは、その使用中及び使用の合間に望ましい滅菌状態の維持を助ける特徴をもつ無針コネクタである。本開示の態様は、医療用コネクタであって、医療用コネクタは、ボディであって、入口、空洞、ボディのルアー部を通る出口、入口から出口まで空洞を通る流体路、及び入口と出口との間の軸線を有するボディと、ルアー部内の流体路を通って延在するポストであって、コネクタが閉鎖位置にあるときはルアー部を通る流れを規制し、コネクタが開放位置にあるときはルアー部を通る流れを許容するポストと、出口においてボディに連結され、出口を跨いで延在するように構成されたシール部と、ボディに枢動可能に連結され、第１端部、対向する第２端部、及び第１端部から軸線に向かって延在するラッチ部材を有する第１アームとを備え、嵌合ルアーを有する相互コネクタが、コネクタが開放位置にあるときはラッチ部材が相互コネクタの出口からの後退を規制するようにボディに流体連結する、医療用コネクタを提供する。
【０００４】
幾つかの事例では、ボディのルアー部は、コネクタが開放位置にあるときは相互コネクタの嵌合ルアー内に配置される。幾つかの実施では、ラッチ部材は、傾斜面と、傾斜面に対して横方向に延在する係合面と、傾斜面と係合面との間を移行する頂点領域とを備える。幾つかの事例では、係合面は、相互コネクタの外面上の隆起又はねじ山の少なくとも１つと係合する。幾つかの実施例では、第２端部の軸線に向かって付勢されると第１端部が軸線から離れる。幾つかの実施例によって、コネクタ及び相互コネクタは軸線周りに個別に回転可能である。幾つかの実施例では、第１アームは軸線に沿った点周りに枢動可能である。
【０００５】
本開示の或る事例では、シール部は、出口の縁部から軸線に向かって延在する少なくとも１つの蓋を備える。幾つかの事例では、蓋の、出口の縁部からの長さが、蓋がボディの内部へとずれた場合にルアー部から解放されるように、出口の縁部とルアー部との間の距離よりも短い。本開示の幾つかの実施例では、シール部は、軸線を中心にして円形に配置され、軸線に沿って圧縮するように構成されたベローズ部を備える。
【０００６】
本開示の或る事例によって、入口と出口との間で、ボディの外面及び第１アームの内面の少なくとも１つが、他方であるボディの外面又は第１アームにおける凹部と嵌合する少なくとも１つの突起を備える。幾つかの実施例では、均等な力を加えた場合に、第１端部と突起との間のモーメントが第２端部と突起との間のモーメントよりも小さい。本開示の或る事例では、延長部が第１端部と突起との間の第１アームに連結され、延長部の軸線に向かって付勢されると第１端部の軸線から離れるように付勢されるようにする。幾つかの事例では、延長部の少なくとも一部が軸線を越えて延在する。
【０００７】
幾つかの実施では、第１端部及び対向する第２端部を有する第２アームがボディに枢動可能に連結される。幾つかの実施例では、第１アームの第１端部及び第２アームの第１端部が、第１アームの第２端部及び第２アームの第２端部の軸線に向かって付勢されると軸線から離れる。幾つかの事例では、第２アームは、第１端部から軸線に向かって延在するラッチ部材を備える。本開示の幾つかの実施例では、第１アーム及び第２アームが、突起と嵌合するように構成されたスロットを備えたブリッジに枢動可能に連結される。幾つかの実施例では、ブリッジのガイド部が出口へと延在し、ガイド部は、軸線に向かって延在する傾斜面を備え、嵌合ルアーを有するコネクタを出口と並べるように構成される。
【０００８】
本開示の態様は、医療用コネクタであって、医療用コネクタは、ボディであって、入口、空洞、ボディのルアー部を通る出口、入口から出口まで空洞を通る流体路、及び入口と出口との間の軸線を有するボディと、ボディに枢動可能に連結され、第１端部、対向する第２端部、及び第１端部から軸線に向かって延在するラッチ部材を有する第１アームとを備え、コネクタが閉鎖位置にあるときは、出口においてボディに連結されたシール部が出口を跨いで延在し、コネクタが開放位置にあるときは、嵌合ルアーを有する相互コネクタがシール部を通って延在する、医療用コネクタを提供する。幾つかの事例によって、コネクタが開放位置にあるときは、相互コネクタがボディに流体連結する。幾つかの実施例では、コネクタが開放位置にあるときは、ラッチ部材が相互コネクタの出口からの後退を規制する。
【０００９】
本主題の技術の追加の特徴及び利点は以下の説明内に記され、一部がその説明から明らかとなるか、又は本主題の技術の実施によって教示されてもよい。本主題の技術の利点は、本明細書の説明及び請求項並びに添付の図面において具体的に指摘される構造によって実現及び達成されよう。
【００１０】
上記の概略的な説明及び以下の詳細な説明の両方が、例示的且つ説明的であり、請求されている本主題の技術を更に説明することを意図するものであることを理解されたい。
【００１１】
本主題の技術の理解をより深めるために含まれ、且つ、この説明に組み込まれてその一部を構成する添付の図面が、本主題の技術の態様を示し、明細書と共に本主題の技術の原理を説明する働きをする。
【図面の簡単な説明】
【００１２】
【図１Ａ】本開示の態様に係る医療用コネクタの一実施例の斜視図を示す。
【図１Ｂ】図１Ａの医療用コネクタの立面図を示す。
【図１Ｃ】図１Ａの医療用コネクタの平面図を示す。
【図２】本開示の態様に係る医療用コネクタの一実施例の断面図である。
【図３Ａ】閉鎖位置にある図２の医療用コネクタの断面図を示し、医療用コネクタのルアー部と相互コネクタとの関係を示す。
【図３Ｂ】開放位置にある図２の医療用コネクタの断面図を示し、医療用コネクタと相互コネクタとの係合を示す。
【図４Ａ】本開示の態様に係る、閉鎖位置にある医療用コネクタの一実施例の断面図を示し、医療用コネクタのルアー部と相互コネクタとの関係を示す。
【図４Ｂ】開放位置にある図４Ａの医療用コネクタの断面図を示し、医療用コネクタと相互コネクタとの係合を示す。
【図５】本開示の態様に係る医療用コネクタの一実施例の斜視図を示す。
【図６】図５の医療用コネクタの断面図である。
【発明を実施するための形態】
【００１３】
以下の詳細な説明では、本主題の技術の理解のために具体的な詳細が記される。しかしながら、一般の当業者には、これらの具体的な詳細の一部を適用しなくても本主題の技術が実施可能であることが自明であろう。他の事例としては、本主題の技術を明瞭にするために、既知の構造及び技術は具体的に示されていない。
【００１４】
「態様」といった表現は、こうした態様が本主題の技術に対して不可欠であること、又はこうした態様が本主題の技術の全ての構成に適用されることを暗示するものではない。態様に関する開示が全ての構成又は１つ以上の構成に適用されてもよい。態様は本開示の１つ以上の例を提供してもよい。「態様」といった表現は１つ以上の態様及びその逆を意味してもよい。「一実施例」といった表現は、こうした実施例が本主題の技術に対して不可欠であること、又はこうした態様が本主題の技術の全ての構成に適用されることを暗示するものではない。一実施例に関する開示が全ての実施例又は１つ以上の実施例に適用されてもよい。一実施例は本開示の１つ以上の例を提供してもよい。「一実施例」といった表現は１つ以上の実施例及びその逆を意味してもよい。「構成」といった表現は、こうした構成が本主題の技術に対して不可欠であること、又はこうした構成が本主題の技術の全ての構成に適用されることを暗示するものではない。構成に関する開示が全ての構成又は１つ以上の構成に適用されてもよい。構成は本開示の１つ以上の例を提供してもよい。「構成」といった表現は１つ以上の構成及びその逆に言及してもよい。
【実施例１】
【００１５】
図１Ａ〜図６に示すように、医療用コネクタの実施例はボディを備え、ボディは入口と、出口と、出口においてボディに連結されるシール部と、ボディに連結された第１アーム及び第２アームとを有する。図１Ａ〜図２を参照すると、医療用コネクタ１００の一実施例が示されている。医療用コネクタ１００は、入口１０４と出口１０６とを有するボディ１０２を備える。ボディ１０２は、空洞１１０と、出口１０６に向かって空洞１１０の内部へと延在するオスルアー部１０８とを画成する。ボディ１０２とオスルアー部１０８と空洞１１０とによって、入口１０４と出口１０６との間の流体路が画成される。また、入口１０４と出口１０６との間に軸線１１２が画定される。一実施例では、ボディ１０２の外面から突起１１４が延出する。突起１１４は入口１０４と出口１０６との間に位置付けられる。幾つかの実施例では、突起１１４は、軸線１１２の両側においてボディ１０２から延出し、長尺のつまみ、溝、隆起、窪み、又は隙間を含む。
【００１６】
第１アーム１２０は第１端部１２２と、対向する第２端部１２４とを備える。第１アーム１２０は、第１端部１２２と出口１０６とが隣接するように、そして第２端部１２４と入口１０４とが隣接するように、軸線１１２と同軸上にボディ１０２に連結される。第２アーム１３０も、第１端部１３２と出口１０６とが隣接するように、そして第２端部１３４と入口１０４とが隣接するように、軸線１１２と同軸上にボディ１０２に連結される。各アーム１２０及び１３０は、（他の形状も用いられてもよいが）軸線１１２を中心とした弓形のような形状をもち、各突起１１４に向かってボディ１０２の一部の周囲に延在する。幾つかの実施例では、アーム１２０及び１３０は、例えば機械加工又は鋳造によってボディ１０２と単一に形成される。一実施例では、第１アーム１２０及び第２アーム１３０はボディ１０２に枢動可能に連結される。
【００１７】
幾つかの実施例では、各アーム１２０及び１３０は、各アーム１２０と１３０との間に配置されるブリッジ１６０によって連結される。幾つかの実施例では、ブリッジ１６０は、ボディ１０２上で突起１１４と嵌合するように構成されたつまみ、溝、隆起、窪み、又は隙間を含む。幾つかの実施例では、ブリッジ１６０は、ブリッジを通り部分的に出口１０６に向かって延在する細長いスリット１６２を画成する。第１アーム１２０及び第２アーム１３０は、出口１０６を第１端部１２２及び１３２の方向に向けて、ボディ１０２を第１アーム１２０と第２アーム１３０との間に挿入することでボディ１０２に連結される。この方向で、各突起１１４をブリッジ１６０の細長いスリット１６２に入れることで、各アーム１２０及び１３２とボディ１０２とを連結する。
【００１８】
幾つかの態様では、ブリッジ１６０はボディ１０２に向かって延出する突起を含む。突起はボディ１０２の凹部と嵌合するように構成されてもよい。各ブリッジ１６０から延出する突起の先端間の断面幅は、ボディ１０２の外面の断面幅より小さくてもよい。第１アーム１２０及び第２アーム１３０は、出口１０６を第１端部１２２及び１３２の方向に向けて、ボディ１０２を第１アーム１２０と第２アーム１３０との間に挿入することでボディ１０２に連結される。ボディ１０２が突起の間を進むにつれて、各アーム１２０と１３０との間のブリッジ１６０が軸線１１２から離れるように付勢される。各突起がボディ１０２の対応する凹部と並ぶと、各ブリッジ１６０は、突起が凹部で受けられて各アーム１２０及び１３０がボディ１０２と連結するように、軸線１１２に向かって戻ることが可能になる。
【００１９】
幾つかの実施例では、各アームは、第１端部１２２及び１３２と突起１１４との間の第１モーメント８２２と、第２端部１２４及び１３４と突起１１４との間の第２モーメント８２４とを備える。幾つかの実施例では、第１モーメント８２２が第２モーメント８２４よりも大きくなるように、第１端部１２２及び１３２と突起１１４との間の距離は、第２端部１２４及び１３４と突起１１４との間の距離よりも大きい。
【００２０】
引き続き図１Ａ〜図２を参照すると、第１アーム１２０の第１端部１２２及び第２アーム１３０の第１端部１３２のそれぞれは、第１端部１２２及び１３２の縁部から軸線１１２に向かって横方向（又は径方向）内方に延在するラッチ部材１４０を備える。各ラッチ部材１４０は、傾斜面１４２と、係合面１４４と、頂点領域１４６とを備える。傾斜面１４２及び係合面１４４のそれぞれは互いに対して横方向に延在する。頂点領域１４６は、傾斜面１４２と係合面１４４との間の接合部に配置される。
【００２１】
シール部１１６がボディ１０２に連結される。一実施例では、シール部１１６はボディ１０２の出口１０６に連結され、出口１０６の縁部から軸線１１２に向かって延在する蓋１１８を含む。幾つかの実施例では、シール部１１６は、出口１０６の縁部から横方向内方に延在する１つ以上の蓋１１８を含む。幾つかの実施例では、シール部１１６はボディ１０２の空洞１１０に連結され、ベローズ部を含む。
【００２２】
図２は、医療用コネクタ１００の実施例の断面図を示す。ポスト１５２がルアー部１０８内の流体路を通って延在する。ポスト１５２は、開口端部と、対向する閉鎖端部と、開口端部と閉鎖端部との間の側壁を通る通路１５４とを有する内腔を画成する。幾つかの実施例では、ポスト１５２は、閉鎖端部の外側面上にシール部１５３を含み、ルアー部１０８の開口先端１０９を流体が流通するのを防止する。
【００２３】
図３Ａ及び図３Ｂは、相互コネクタ９００に関連する医療用コネクタ１００の実施例を示す。相互コネクタ９００は嵌合ルアー９０２を含む。嵌合ルアー９０２は上面９０４と隆起９０６とを含む。隆起９０６は、周外方延在部、外側面上のねじ山、又は増加した断面幅をもつ相互コネクタ９００の線分を含んでもよい。一実施例では、嵌合ルアー９０２は、医療用コネクタ１００のルアー部１０８を受けるように構成されたメスルアーである。
【００２４】
図３Ａを参照すると、ポスト１５２は、医療用コネクタ１００が閉鎖位置にあるとき、ルアー部１０８内の流体路を通って延在する。閉鎖位置では、ポスト１５２の閉鎖端部がルアー部１０８の開口先端１０９を密閉することで流体路を閉鎖する。幾つかの実施例では、かかり１５６がポスト１５２に接続し、ルアー部１０８の外部に沿って出口１０６に向かって延在する。
【００２５】
図３Ｂに示す開放位置では、医療用コネクタ１００は、ルアー部１０８が嵌合ルアー９０２と係合するように相互コネクタ９００に連結される。医療用コネクタ１００を開放位置にセットするために、医療用コネクタ１００の出口１０６と相互コネクタ９００の上面９０４とが、図３Ａに示すように軸線１１２に沿って並べられる。上面９０４は、医療用コネクタ１００又は相互コネクタ９００の少なくとも１つがそれらのいずれかに向かって移動すると、ラッチ部材１４０の頂点領域１４６を越えて通過することが可能になる。上面９０４がラッチ部材１４０の頂点領域１４６を越えて通過するにつれて、シール部１１６の蓋１１８が空洞１１０の内部へとずれる。相互コネクタ９００が医療用コネクタ１００の空洞１１０に更に入るにつれて、頂点領域１４６間の断面幅よりも大きい断面幅を有する隆起９０６が傾斜面１４２と係合し、これによって、各アーム１２０及び１３０の第１端部１２２及び１３２の軸線１１２から離れるように付勢される。相互コネクタ９００が、頂点領域１４６が隆起９０６を越えるように空洞１１０へと挿入されると、各アーム１２０及び１３０の第１端部１２２及び１３２は、図３Ｂに示すように、係合面１４４と隆起９０６とが隣接するように軸線１１２に向かって戻ることが可能になる。
【００２６】
引き続き図３Ｂを参照すると、医療用コネクタ１００のルアー部１０８は、上面９０４を通って嵌合ルアー９０２の内部へと延在して、柔軟弁９０８をずらす。かかり１５６及びポスト１５２は、上面９０４によってルアー部１０８の先端１０９から強制的に引き離される。開放位置では、ポスト１５２の閉鎖端部がルアー部１０８の先端１０９からずれるため、これによって、ルアー部１０８の先端１０９とポスト１５２の内腔との間で通路１５４を通る流れが許容される。
【００２７】
開放位置では、相互コネクタ９００の、入口１０４から離れる反対方向への動きが、係合面１４４によって規制される。医療用コネクタ１００と相互コネクタ９００とは、各アームの第２端部１２４及び１３４の軸線１１２に向かって付勢されることで分離され、これによって、各アームの第１端部１２２及び１３２並びにラッチ部材１４０が軸線１１２から離れる。第１端部１２２及び１３２並びにラッチ部材１４０が、頂点領域１４６間の断面幅が隆起９０６の断面幅よりも大きくなるように軸線１１２から離れると、医療用コネクタ１００を軸線方向に離すように動かして、相互コネクタ９００を空洞１１０から引き出すことができる。
【００２８】
図４Ａ及び４Ｂは、ボディ４０２を備え、ボディ４０２は入口４０４と、出口４０６と、ボディ４０２に連結された第１アーム４２０とを有する医療用コネクタ４００の一実施例を示す。シール部４１６が、ボディ４０２によって画成される空洞４１０内に配置される。幾つかの実施例では、シール部４１６は、入口４０４と出口４０６との間に軸線４１２を中心にして配置されたシリンダーである。シール部４１６は、ベローズ部４２３を有する基部と、接合部４２１を有する対向するヘッドとを含む。ベローズ部４２３は、シール部４１６が軸線４１２に沿って圧縮又は膨張するのを可能にする。幾つかの実施例では、接合部４２１は、軸線４１２を中心にして周囲に配置されて、ヘッドから出口４０６に向かって延在するリングである。蓋４１８が、ヘッドの接合部４２１から軸線４１２に向かって横方向内方に延在する。接合部４２１は相互コネクタ９００の上面９０４と係合して、相互コネクタ９００の力をシール部４１６のベローズ部４２３及び蓋４１８に分散させる。図４Ａに示す閉鎖位置では、ルアー部４０８がシール部４１６によって封止されるように、ベローズ部４２３は膨張状態にあり、蓋は軸線４１２に向かって延在する。
【００２９】
医療用コネクタ４００を開放位置にセットするために、医療用コネクタ４００の出口４０６及び相互コネクタ９００の上面９０４は、図４Ａに示すように軸線４１２に沿って並べられる。上面９０４は、医療用コネクタ４００又は相互コネクタ９００の少なくとも１つがそれらのいずれかに向かって移動すると、ラッチ部材４４０の頂点領域４４６を越えて通過することが可能になる。上面９０４がラッチ部材４４０の頂点領域４４６を越えて通過すると、上面９０４は接合部４２１に係合する。上面９０４が入口４０４に向かって更に移動すると、シール部４１６のベローズ部４２３が軸線方向に圧縮される。シール部４１６が軸線方向に圧縮されるにつれて、蓋４１８がルアー部４０８の先端４０９に係合する。シール部４１６が更に軸線方向に圧縮されることで、図４Ｂに示すように、蓋４１８は出口４０６に向かって強制的にずらされる。
【００３０】
医療用コネクタ４００と相互コネクタ９００とが、相互コネクタ９００の上面９０４がシール部４１６を軸線方向に圧縮するように共に移動している間、頂点領域４４６間の断面幅よりも大きな断面幅を有する隆起９０６が傾斜面４４２と係合し、これによって、第１アーム４２０の第１端部４２２の軸線４１２から離れるように付勢される。相互コネクタ９００が、頂点領域４４６が隆起９０６を越えるように空洞４１０へと挿入されると、第１アーム４２０の第１端部４２２は、係合面４４４と隆起９０６とが隣接するように軸線４１２に向かって戻ることが可能になる。
【００３１】
引き続き図４Ｂを参照すると、医療用コネクタ４００のルアー部４０８は、上面９０４を通って嵌合ルアー９０２の内部へと延在して、柔軟弁９０８をずらし、かかり４５６及びポスト４５２は、上面９０４によってルアー部４０８の先端４０９から強制的に引き離される。開放位置では、ポスト４５２の閉鎖端部はルアー部４０８の先端４０９からずれるため、これによって、通路４５４を通るルアー部４０８の先端４０９とポスト４５２の内腔との間の流れが許容される。
【００３２】
閉鎖位置では、相互コネクタ９００の、入口４０４から離れる反対方向への動きが、係合面４４４によって規制される。医療用コネクタ４００と相互コネクタ９００とは、各アームの第２端部の軸線４１２に向かって付勢されることで分離され、これによって、各アームの第１端部及びラッチ部材４４０が軸線４１２から離れる。第１端部が、頂点領域４４６間の断面幅が隆起９０６の断面幅よりも大きくなるように、軸線４１２から離れると、医療用コネクタ４００を上面から軸線方向に離すように動かして、相互コネクタ９００から分離することができる。
【００３３】
図５及び図６を参照すると、医療用コネクタ５００の一実施例が示されている。医療用コネクタ５００は、入口５０４と出口５０６とを有するボディ５０２を備える。ボディ５０２は、空洞５１０と、出口５０６に向かって空洞５１０の内部へと延在するオスルアー部５０８とを画成する。ボディ５０２とオスルアー部５０８と空洞５１０とによって、入口５０４と出口５０６との間の流体路が画成される。また、入口５０４と出口５０６との間に軸線５１２が画定される。ボディ５０２の外面から突起５１４が延出する。突起５１４は入口５０４と出口５０６との間に位置付けられる。幾つかの実施例では、突起５１４は軸線５１２に対向する側にボディ５０２から延出し、長尺のつまみ、溝、隆起、窪み、又は隙間を含む。
【００３４】
第１アーム５２０は、第１端部５２２と、対向する第２端部５２４とを備える。第１アーム５２０は、第１端部５２２と出口５０６とが隣接するように、そして第２端部５２４と入口５０４とが隣接するように、軸線５１２と同軸上にボディ５０２に連結される。第２アーム５３０も、第１端部５３２と出口５０６とが隣接するように、そして第２端部５３４と入口５０４とが隣接するように、軸線５１２と同軸上にボディ５０２に連結される。第１アーム５２０及び第２アーム５３０のそれぞれは、軸線５１２を中心とした弓形のような形状をもち、各突起５１４に向かってボディ５０２の一部の周囲に延在する。幾つかの実施例では、アーム５２０及び５３０は、例えば機械加工又は鋳造によってボディ５０２と単一に形成される。一実施例では、第１アーム５２０及び第２アーム５３０はボディ５０２に枢動可能に連結される。
【００３５】
一実施例では、各アーム５２０及び５３０は、各アーム５２０と５３０との間に配置されるブリッジ５６０によって連結される。幾つかの実施例では、ブリッジ５６０は、ボディ５０２上で突起５１４と嵌合するように構成されたつまみ、溝、隆起、窪み、又は隙間を含む。幾つかの実施例では、各ブリッジ５６０は、内側面に沿って部分的に出口５０６に向かう細長いスリット５６２を画成する。第１アーム５２０及び第２アーム５３０は、出口５０６を第１端部５２２及び５３２の方向に向けて、ボディ５０２を第１アーム５２０と第２アーム５３０との間に挿入することでボディ５０２に連結される。この方向で、各突起５１４をブリッジ５６０の細長いスリット５６２に入れることで、各アーム５２０及び５３２とボディ５０２とを連結する。
【００３６】
幾つかの態様では、ブリッジ５６０はボディ５０２に向かって延出する突起を含む。突起はボディ５０２の凹部と嵌合するように構成されてもよい。各ブリッジ５６０から延出する突起の先端間の断面幅は、ボディ５０２の外面の断面幅より小さくてもよい。第１アーム５２０及び第２アーム５３０は、出口５０６を第１端部５２２及び５３２の方向に向けて、ボディ５０２を第１アーム５２０と第２アーム５３０との間に挿入することでボディ５０２に連結される。ボディ５０２が突起の間を進むにつれて、各アーム５２０と５３０との間のブリッジ５６０が軸線５１２から離れるように付勢される。各突起がボディ５０２の対応する凹部と並ぶと、各ブリッジ５６０は、突起が凹部で受けられて各アーム５２０及び５３０がボディ５０２と連結するように、軸線５１２に向かって戻ることが可能になる。
【００３７】
幾つかの実施例では、ブリッジ５６０は出口５０６を越えて延在し、第１アーム５２０と第２アーム５３０とのラッチ部材５４０の間に配置されたガイド５６４で終端する。ガイド５６４は、軸線５１２に部分的に向かって延在する傾斜面５６６と頂点領域５６８とを含む。各頂点領域５６８間の断面幅は、相互コネクタ９００の嵌合ルアー９０２の外面以上の大きさである。各ガイド５６４の傾斜面５６６は、相互コネクタ９００の上面９０４を軸線５１２と並ぶように方向付ける。頂点領域５６８間の断面幅は、相互コネクタ９００の上面９０４及び隆起９０６が、各ラッチ部材５４０の頂点領域５６８を越えて通過するのを許容するものである。
【００３８】
第１アーム５２０の第１端部５２２及び第２アーム５３０の第１端部５３２のそれぞれは、第１端部５２２及び５３２の縁部から軸線５１２に向かって横方向内方に延在するラッチ部材５４０を備える。各ラッチ部材５４０は、傾斜面５４２と、係合面５４４と、頂点領域５４６とを備える。傾斜面５４２及び係合面５４４のそれぞれは互いに対して横方向に延在する。頂点領域５４６は、傾斜面５４２と係合面５４４との間の接合部に配置される。
【００３９】
一実施例では、各アーム５２０及び５３０はそれぞれ延長部５２５及び５３５を備える。わかりやすさ及び簡略化のために、以下の説明では第１アーム５２０を対象にする。しかしながら、一実施例では、各アームは素晴らしい特徴を備える。第１アームを参照すると、延長部５２５は第１端部５２２と突起５１４との間に連結される。延長部５２５は第１端部５２２から軸線５１２を越えて延在し、延長部５２５の軸線５１２に向かう動きが第１端部５２２の軸線５１２から離れるように付勢するようにする。一実施例では、延長部５２５はブリッジ５６０を覆って延在し、第２アーム５３０の少なくとも一部を覆う弧を備える。
【００４０】
シール部５１６がボディ５０２に連結される。一実施例では、シール部５１６はボディ５０２の出口５０６に連結され、出口５０６の縁部から軸線５１２に向かって延在する蓋５１８を含む。幾つかの実施例では、シール部５１６は、出口５０６の縁部から横方向内方に延在する１つ以上の蓋５１８を含む。幾つかの実施例では、ベローズ部を備えるシール部がルアー部５０８を囲み、開口部から軸線５１２に向かって延在する蓋を含むことで、空洞５１０内のルアー部５０８を封止する。
【００４１】
ポスト５５２がルアー部５０８内の流体路を通って延在する。ポスト５５２は、開口端部と、対向する閉鎖端部と、開口端部と閉鎖端部との間の側壁を通る通路５５４とを有する内腔を画成する。医療用コネクタ５００が閉鎖位置にあるとき、ポスト５５２の閉鎖端部がルアー部５０８の開口先端５０９を密閉し、これによって、流体路を閉鎖する。幾つかの実施例では、ポスト５５２は、閉鎖端部の外側面上にシール部５５３を含み、医療用コネクタ５００が閉鎖位置にあるときにルアー部５０８の開口先端５０９を流体が流通するのを防止する。
【００４２】
開放位置において医療用コネクタ５００が相互コネクタ９００と連結されると、ルアー部５０８は嵌合ルアー９０２と係合する。医療用コネクタ１００を開放位置にセットするために、医療用コネクタ５００の出口５０６と相互コネクタ９００の上面９０４とが軸線５１２に沿って並べられる。各ガイド５６４の傾斜面５６６は、医療用コネクタ５００又は相互コネクタ９００の少なくとも１つがそれらのいずれかに向かって移動すると、相互コネクタ９００の上面９０４を軸線５１２と並ぶように方向付ける。各ラッチ部材５４０の頂点領域５６８間の断面幅は、相互コネクタ９００の上面９０４及び隆起９０６が頂点領域５６８を越えて通過するのを許容するものである。相互コネクタ９００が医療用コネクタ５００の空洞５１０に更に入るにつれて、頂点領域５４６間の断面幅よりも大きい断面幅を有する隆起９０６が傾斜面５４２と係合し、これによって、各アーム５２０及び５３０の第１端部５２２及び５３２の軸線５１２から離れるように付勢される。相互コネクタ９００が、隆起９０６が頂点領域５４６を越えるまで空洞５１０へと挿入されると、各アーム５２０及び５３０の第１端部５２２及び５３２は、係合面５４４と隆起９０６とが隣接するように軸線５１２に向かって戻ることが可能になる。
【００４３】
開放位置では、ポスト５５２の閉鎖端部がルアー部５０８の先端５０９からずれるため、これによって、ルアー部５０８の先端５０９とポスト５５２の内腔との間で通路５５４を通る流れが許容される。
【００４４】
開放位置では、相互コネクタ９００の、入口５０４から離れる反対方向への動きが、相互コネクタ９００の隆起９０６に対向する各ラッチ部材５４０の係合面５４４によって規制される。医療用コネクタ５００と相互コネクタ９００とは、各アームの延長部５２５及び５３５の軸線５１２に向かって付勢されることで分離され、これによって、各アーム５２０及び５３０の第１端部５２２及び５３２並びにラッチ部材５４０が軸線５１２から離れる。第１端部５２２及び５３２が、頂点領域５４６間の断面幅が隆起９０６の断面幅よりも大きくなるように軸線５１２から離れると、医療用コネクタ５００を軸線方向に離すように動かして、相互コネクタ９００を空洞５１０から引き出すことができる。
【００４５】
上記の説明は、当業者が本明細書に記載の様々な構成を実現できるようにするために設けられる。本主題の技術は、様々な図面及び構成を参照して具体的に説明されているが、これらは例示的な目的のためだけのものであることが理解されるべきであり、本主題の技術の範囲を限定するものとして捉えられるべきではない。
【００４６】
本主題の技術を実現するには多くの他の方法がありうる。本明細書に記載の様々な機能及び要素が、本主題の技術の範囲から逸脱することなく、示されているものとは異なるように区分けされてもよい。これらの構成の様々な変形例が当業者には容易に自明となることが考えられ、本明細書に定義される包括的な原理が他の構成に適用されてもよい。従って、多くの変更又は変形例が、当業者によって、本主題の技術の範囲から逸脱することなく、本主題の技術に対して作られてもよい。
【００４７】
本明細書で使用されるような、一連の項目に続く表現「の少なくとも１つ」は、それらの項目のいずれかを分離する用語「及び」又は「又は」が伴い、その一覧の各要素（すなわち各項目）ではなく一覧全体を変更する。表現「の少なくとも１つ」は、一覧にある各項目の少なくとも１つを選択することを要求するのではなく、むしろ、この表現は、項目のいずれか１つを少なくとも１つ、及び／又は、項目の任意の組み合わせの少なくとも１つ、及び／又は、項目のそれぞれのうちの少なくとも１つを含む意味を許容する。例としては、表現「Ａ、Ｂ及びＣの少なくとも１つ」又は表現「Ａ、Ｂ又はＣの少なくとも１つ」は、それぞれＡのみ、Ｂのみ又はＣのみを意味してもよいし、ＡとＢとＣとの任意の組み合わせを意味してもよいし、Ａ、Ｂ及びＣのそれぞれのうちの少なくとも１つを意味してもよい。
【００４８】
また、用語「含む」又は「有する」等が用いられる範囲において、こうした用語は、用語「備える」が請求項内での暫定的な語として採用された場合に解釈されるように、「備える」と同様の手法で包括されるようになっている。本明細書では、語「例示的」は「例、事例又は例示として機能する」ことを意味するように使用される。本明細書で「例示的」として説明される任意の実施例は、他の実施例よりも好適又は有利なものとして解釈されなくてもよい。 
【００４９】
単数形の要素の参照は、特にそのような記載がない限りは「１つ及び１つのみ」を意味するようになってはおらず、むしろ「１つ以上」を意味するようになっている。用語「幾つか」は１つ以上を意味する。本開示を通して説明される様々な構成の要素に対する、当業者にとって既知である又は後から既知となる全ての構造的且つ機能的な同等性は、参照によって本明細書に明確に組み込まれ、本主題の技術によって包含されるようになっている。また、本明細書に開示されるものは、いずれも、こうした開示が上記の記載に明確に記されているか否かに関わらず、公共に対して限定されるものではない。
【００５０】
本主題の技術の或る態様及び実施例を説明したが、これらは例としてのみ提示したものであり、本主題の技術の範囲の限定を意図するものではない。実際、本明細書に記載の新規の方法及びシステムは、その精神から逸脱することなく、様々な他の形態で実施されてもよい。添付の請求項及びその同等物は、本主題の技術の範囲内及び精神内に含まれうるようなこうした形態又は変形例を包含するようになっている。
【図１Ａ】
2018519937.tif 000003
【図１Ｂ】
2018519937.tif 000004
【図１Ｃ】
2018519937.tif 000005
【図２】
2018519937.tif 000006
【図３Ａ】
2018519937.tif 000007
【図３Ｂ】
2018519937.tif 000008
【図４Ａ】
2018519937.tif 000009
【図４Ｂ】
2018519937.tif 000010
【図５】
2018519937.tif 000011
【図６】
2018519937.tif 000012
【手続補正書】
【提出日】平成29年5月2日(2017.5.2)
【手続補正１】
【補正対象書類名】特許請求の範囲
【補正対象項目名】全文
【補正方法】変更
【補正の内容】
【特許請求の範囲】
【請求項１】
医療用コネクタ（１００、４００、５００）であって、
ボディ（１０２、４０２、５０２）であって、入口（１０４、４０４、５０４）、出口（１０６、４０６、５０６）、空洞（１１０、４１０、５１０）、前記空洞（１１０、４１０、５１０）に延在するルアー部（１０８、４０８、５０８）、前記入口（１０４、４０４、５０４）から前記ルアー部（１０８、４０８、５０８）を通って、前記出口（１０６、４０６、５０６）までの流体路、及び前記入口（１０４、４０４、５０４）と前記出口（１０６、４０６、５０６）との間の軸線（１１２、４１２、５１２）を有するボディ（１０２、４０２、５０２）と、
前記ルアー部（１０８、４０８、５０８）内の前記流体路を通って延在するポスト（１５２、４５２、５５２）であって、前記コネクタ（１００、４００、５００）が閉鎖位置にあるときは前記ルアー部（１０８、４０８、５０８）を通る流れを規制し、前記コネクタ（１００、４００、５００）が開放位置にあるときは前記ルアー部（１０８、４０８、５０８）を通る流れを許容するポスト（１５２、４５２、５５２）と、
前記出口（１０６、４０６、５０６）に連結され、前記空洞（１１０、４１０、５１０）を少なくとも部分的に取り囲むように、前記軸線（１１２、４１２、５１２）に向かって前記出口（１０６、４０６、５０６）から延在するシール部（１１６、４１６、５１６）と、
前記ボディ（１０２、４０２、５０２）に枢動可能に連結され、第１端部（１２２、４２２、５２２）、対向する第２端部（１２４、５２４）、及び前記第１端部（１２２、４２２、５２２）から前記軸線（１１２、４１２、５１２）に向かって延在するラッチ部材（１４０、４４０、５４０）を有する第１アーム（１２０、４２０、５２０）とを備え、
嵌合ルアー（９０２）を有する相互コネクタ（９００）が、前記コネクタ（１００、４００、５００）が開放位置にあるときは前記ラッチ部材（１４０、４４０、５４０）が前記相互コネクタ（９００）の前記出口（１０６、４０６、５０６）からの後退を規制するように前記ボディ（１０２、４０２、５０２）に流体連結する、医療用コネクタ（１００、４００、５００）。
【請求項２】
前記ボディ（１０２、４０２、５０２）の前記ルアー部（１０８、４０８、５０８）が、前記コネクタ（１００、４００、５００）が開放位置にあるときは前記相互コネクタ（９００）の前記嵌合ルアー（９０２）内に配置される、請求項１に記載の医療用コネクタ（１００、４００、５００）。
【請求項３】
前記ラッチ部材（１４０、４４０、５４０）が、傾斜面（１４２、４４２）と、前記傾斜面（１４２、４４２）に対して横方向に延在する係合面（１４４、４４４、５４４）と、前記傾斜面（１４２、４４２）と前記係合面（１４２、４４２）との間を移行する頂点領域とを備える、請求項１に記載の医療用コネクタ（１００、４００、５００）。
【請求項４】
前記係合面（１４２、４４２）が、前記相互コネクタ（９００）の外面上の隆起（９０６）又はねじ山の少なくとも１つと係合する、請求項３に記載の医療用コネクタ（１００、４００、５００）。
【請求項５】
前記第２端部（１２４、５２４）の前記軸線（１１２、４１２、５１２）に向かって付勢されると、前記第１端部（１２２、４２２、５２２）が前記軸線（１１２、４１２、５１２）から離れる、請求項１に記載の医療用コネクタ。
【請求項６】
前記コネクタ（１００、４００、５００）及び前記相互コネクタ（９００）が前記軸線（１１２、４１２、５１２）周りに個別に回転可能である、請求項１に記載の医療用コネクタ（１００、４００、５００）。
【請求項７】
前記シール部（１１６、４１６、５１６）が、前記出口（１０６、４０６、５０６）の縁部から前記軸線（１１２、４１２、５１２）に向かって延在する少なくとも１つの蓋（１１８、５１８）を備える、請求項１に記載の医療用コネクタ（１００、４００、５００）。
【請求項８】
前記蓋（１１８、５１８）の、前記出口（１０６、４０６、５０６）の前記縁部からの長さが、前記蓋（１１８、５１８）が前記ボディ（１０２、４０２、５０２）の内部へとずれた場合に前記ルアー部（１０８、４０８、５０８）から解放されるように、前記出口（１０６、４０６、５０６）の前記縁部と前記ルアー部（１０８、４０８、５０８）との間の距離よりも短い、請求項７に記載の医療用コネクタ（１００、４００、５００）。
【請求項９】
前記シール部（１１６、４１６、５１６）が、前記軸線（１１２、４１２、５１２）を中心にして円形に配置され、前記軸線（１１２、４１２、５１２）に沿って圧縮するように構成されたベローズ部（４２３）を備える、請求項１に記載の医療用コネクタ（１００、４００、５００）。
【請求項１０】
前記第１アーム（１２０、４２０、５２０）が前記軸線（１１２、４１２、５１２）に沿った点周りに枢動可能である、請求項１に記載の医療用コネクタ（１００、４００、５００）。
【請求項１１】
前記入口（１０４、４０４、５０４）と前記出口（１０６、４０６、５０６）との間で、前記ボディ（１０２、４０２、５０２）の外面及び前記第１アーム（１２０、４２０、５２０）の内面の少なくとも１つが、他方である前記ボディ（１０２、４０２、５０２）の前記外面又は前記第１アーム（１２０、４２０、５２０）における凹部と嵌合する少なくとも１つの突起（１１４、５１４）を備える、請求項１に記載の医療用コネクタ（１００、４００、５００）。
【請求項１２】
均等な力を加えた場合に、前記第１端部（１２２、４２２、５２２）と前記突起（１１４、５１４）との間のモーメントが前記第２端部（１２４、５２４）と前記突起（１１４、５１４）との間のモーメントよりも小さい、請求項１１に記載の医療用コネクタ（１００、４００、５００）。
【請求項１３】
延長部（５２５）が前記第１端部（１２２、４２２、５２２）と前記突起（１１４、５１４）との間の前記第１アーム（１２０、４２０、５２０）に連結され、前記延長部（５２５）の前記軸線（１１２、４１２、５１２）に向かって付勢されると前記第１端部（１２２、４２２、５２２）の前記軸線（１１２、４１２、５１２）から離れるように付勢されるようにする、請求項１１に記載の医療用コネクタ（１００、４００、５００）。
【請求項１４】
前記延長部（５２５）の少なくとも一部が前記軸線（１１２、４１２、５１２）を越えて延在する、請求項１３に記載の医療用コネクタ（１００、４００、５００）。
【請求項１５】
第１端部（１３２、５３２）及び対向する第２端部（１３４、５３４）を有する第２アーム（１３０、５３０）が前記ボディ（１０２、４０２、５０２）に枢動可能に連結される、請求項１に記載の医療用コネクタ（１００、４００、５００）。
【請求項１６】
前記第１アーム（１２０、４２０、５２０）の前記第１端部（１２２、４２２、５２２）及び前記第２アーム（１３０、５３０）の前記第１端部（１３２、５３２）が、前記第１アーム（１２０、４２０、５２０）の前記第２端部（１２４、５２４）及び前記第２アーム（１３０、５３０）の前記第２端部（１３４、５３４）の前記軸線（１１２、４１２、５１２）に向かって付勢されると前記軸線（１１２、４１２、５１２）から離れる、請求項１５に記載の医療用コネクタ（１００、４００、５００）。
【請求項１７】
前記第２アーム（１３０、５３０）が、前記第１端部（１３２、５３２）から前記軸線（１１２、４１２、５１２）に向かって延在するラッチ部材（１４０、４４０、５４０）を備える、請求項１５に記載の医療用コネクタ（１００、４００、５００）。
【請求項１８】
前記第１アーム（１２０、４２０、５２０）及び前記第２アーム（１３０、５３０）が、前記突起（１１４、５１４）と嵌合するように構成されたスロットを備えたブリッジ（１６０、５６０）に枢動可能に連結される、請求項１５に記載の医療用コネクタ（１００、４００、５００）。
【請求項１９】
前記ブリッジ（１６０、５６０）のガイド部が前記出口（１０６、４０６、５０６）へと延在し、前記ガイド部が、前記軸線（１１２、４１２、５１２）に向かって延在する傾斜面（５６６）を備え、嵌合ルアー（９０２）を有する前記コネクタ（１００、４００、５００）を前記出口（１０６、４０６、５０６）と並べるように構成される、請求項１８に記載の医療用コネクタ（１００、４００、５００）。
【請求項２０】
医療用コネクタ（１００、４００、５００）であって、前記医療用コネクタ（１００、４００、５００）が、
ボディ（１０２、４０２、５０２）であって、入口（１０４、４０４、５０４）、出口（１０６、４０６、５０６）、空洞（１１０、４１０、５１０）、前記空洞（１１０、４１０、５１０）に延在するルアー部（１０８、４０８、５０８）、前記入口（１０４、４０４、５０４）から前記ルアー部（１０８、４０８、５０８）を通って、前記出口（１０６、４０６、５０６）までの流体路、前記ボディ（１０２、４０２，５０２）の外面から延在する突起（１１４、５１４）、及び前記入口（１０４、４０４、５０４）と前記出口（１０６、４０６、５０６）との間の軸線（１１２、４１２、５１２）を有するボディ（１０２、４０２、５０２）と、
第１端部（１２２、４２２、５２２；１３２、５３２）、対向する第２端部（１２４、５２４）、及び前記第１端部（１２２、４２２、５２２；１３２、５３２）から前記軸線（１１２、４１２、５１２）に向かって延在するラッチ部材（１４０、４４０、５４０）を有する、第１アームと第２アーム（１２０、４２０、５２０；１３０．５３０）の各々で、その間の、前記突起（１１４、５１４）を受容するように構成されるスロットを備えるブリッジ（１６０、５６０）に枢動可能に連結される第１アーム（１２０、４２０、５２０）と第２アーム（１３０、５３０）とを備え、
前記コネクタ（１００、４００、５００）が閉鎖位置にあるときは、前記出口（１０６、４０６、５０６）において前記ボディ（１０２、４０２、５０２）に連結されたシール部（１１６、４１６、５１６）が前記出口（１０６、４０６、５０６）を跨いで延在し、前記コネクタ（１００、４００、５００）が開放位置にあるときは、嵌合ルアーを有する相互コネクタ（９００）が前記シール部（１１６、４１６、５１６）を通って延在する、医療用コネクタ（１００、４００、５００）。
【請求項２１】
前記コネクタ（１００、４００、５００）が開放位置にあるときは、前記相互コネクタ（９００）が前記ボディ（１０２、４０２、５０２）に流体連結する、請求項２０に記載の医療用コネクタ（１００、４００、５００）。
【請求項２２】
前記コネクタ（１００、４００、５００）が開放位置にあるときは、前記ラッチ部材（１４０、４４０、５４０）が前記相互コネクタ（９００）の前記出口（１０６、４０６、５０６）からの後退を規制する、請求項２０に記載の医療用コネクタ（１００、４００、５００）。
【手続補正２】
【補正対象書類名】明細書
【補正対象項目名】全文
【補正方法】変更
【補正の内容】
【発明の詳細な説明】
【技術分野】
【０００１】
本開示は、概して流体送達の用途に使用される医療用コネクタに関する。より具体的には、本開示は、ラッチを介して相互コネクタと連結して、相互コネクタと連結されるとその内部の流通を可能にするように構成されるコネクタに関する。
【背景技術】
【０００２】
医療用コネクタは、静脈内輸液ラインや血液アクセス、血液透析、腹膜透析、経腸栄養、薬剤バイアルアクセス等との接続に用いられるような流体送達システムに広く使用されている。先行技術における多くの無菌医療用コネクションは、鋭利な中空皮下注射針によって、その片側が流体と接触した弾性のダイヤフラム又はセプタムを穿刺するように設計されている。これらのコネクタは、皮下注射針を必要とせず代わりにルアー等の作動器具をシリンジ又は静脈ラインの端部で使用してコネクタ内の弁を通る流体路を作り出すルアー作動コネクタに置き換えられつつある。作動器具を取り外すと、弁は閉弁する。
【０００３】
引用文献１は、輸液セット及び、患者に医療用薬液のような液体を投与する際に輸液セットを使用する方法を開示している。輸液セットは、それぞれ、１以上の柔軟なチューブにより構成される第１、第２及び第３の流路を備える。輸液セットは、第１の流路の別の端部、第２の端部の別の端部及び第３の端部の別の端部に接続される、スリーウェイのコックの栓をさらに備える。
【０００４】
引用文献２では、お互いから取り外す際に、閉鎖構成を有する雄コネクタ及び雌コネクタを有する、薬液のためのコネクタシステムが説明されています。雄コネクタが雌コネクタに連結される際、相補的構造が、雄コネクタ及び雌コネクタのポートからシールを離すように動かすために係合し、コネクタを通る流路を開く。
【０００５】
引用文献３は、雄コネクタに類似した他方の雄コネクタが接続されることが可能な、間隙を有する雄コネクタと空洞を有する雌コネクタから構成されるチューブ組立体及びコネクタを開示している。コネクタは、雄ロック領域に類似する他の雄ロック領域が連結されることが可能な、雄ロック領域及び雌ロック領域を有する。雌ロック領域と他の雄ロック領域が連結されて、コネクタがロックされた状態のときは、液体を流すことを可能にするために空洞が互いに連通されるように、雌コネクタと他の雄コネクタが接続される。
【先行技術文献】
【特許文献】
【０００６】
【特許文献１】欧州特許出願公開第２８８１１３８号明細書
【特許文献２】国際公開第２０１３／０３６８５４号
【特許文献３】欧州特許出願公開第１８３９６９９号明細書
【発明の概要】
【課題を解決するための手段】
【０００７】
本明細書に記載されるのは、その使用中及び使用の合間に望ましい滅菌状態の維持を助ける特徴をもつ無針コネクタである。本開示の態様は、医療用コネクタであって、医療用コネクタは、ボディであって、入口、空洞、ボディのルアー部を通る出口、入口から出口まで空洞を通る流体路、及び入口と出口との間の軸線を有するボディと、ルアー部内の流体路を通って延在するポストであって、コネクタが閉鎖位置にあるときはルアー部を通る流れを規制し、コネクタが開放位置にあるときはルアー部を通る流れを許容するポストと、出口においてボディに連結され、出口を跨いで延在するように構成されたシール部と、ボディに枢動可能に連結され、第１端部、対向する第２端部、及び第１端部から軸線に向かって延在するラッチ部材を有する第１アームとを備え、嵌合ルアーを有する相互コネクタが、コネクタが開放位置にあるときはラッチ部材が相互コネクタの出口からの後退を規制するようにボディに流体連結する、医療用コネクタを提供する。
【０００８】
幾つかの事例では、ボディのルアー部は、コネクタが開放位置にあるときは相互コネクタの嵌合ルアー内に配置される。幾つかの実施では、ラッチ部材は、傾斜面と、傾斜面に対して横方向に延在する係合面と、傾斜面と係合面との間を移行する頂点領域とを備える。幾つかの事例では、係合面は、相互コネクタの外面上の隆起又はねじ山の少なくとも１つと係合する。幾つかの実施例では、第２端部の軸線に向かって付勢されると第１端部が軸線から離れる。幾つかの実施例によって、コネクタ及び相互コネクタは軸線周りに個別に回転可能である。幾つかの実施例では、第１アームは軸線に沿った点周りに枢動可能である。
【０００９】
本開示の或る事例では、シール部は、出口の縁部から軸線に向かって延在する少なくとも１つの蓋を備える。幾つかの事例では、蓋の、出口の縁部からの長さが、蓋がボディの内部へとずれた場合にルアー部から解放されるように、出口の縁部とルアー部との間の距離よりも短い。本開示の幾つかの実施例では、シール部は、軸線を中心にして円形に配置され、軸線に沿って圧縮するように構成されたベローズ部を備える。
【００１０】
本開示の或る事例によって、入口と出口との間で、ボディの外面及び第１アームの内面の少なくとも１つが、他方であるボディの外面又は第１アームにおける凹部と嵌合する少なくとも１つの突起を備える。幾つかの実施例では、均等な力を加えた場合に、第１端部と突起との間のモーメントが第２端部と突起との間のモーメントよりも小さい。本開示の或る事例では、延長部が第１端部と突起との間の第１アームに連結され、延長部の軸線に向かって付勢されると第１端部の軸線から離れるように付勢されるようにする。幾つかの事例では、延長部の少なくとも一部が軸線を越えて延在する。
【００１１】
幾つかの実施では、第１端部及び対向する第２端部を有する第２アームがボディに枢動可能に連結される。幾つかの実施例では、第１アームの第１端部及び第２アームの第１端部が、第１アームの第２端部及び第２アームの第２端部の軸線に向かって付勢されると軸線から離れる。幾つかの事例では、第２アームは、第１端部から軸線に向かって延在するラッチ部材を備える。本開示の幾つかの実施例では、第１アーム及び第２アームが、突起と嵌合するように構成されたスロットを備えたブリッジに枢動可能に連結される。幾つかの実施例では、ブリッジのガイド部が出口へと延在し、ガイド部は、軸線に向かって延在する傾斜面を備え、嵌合ルアーを有するコネクタを出口と並べるように構成される。
【００１２】
本開示の態様は、医療用コネクタであって、医療用コネクタは、ボディであって、入口、空洞、ボディのルアー部を通る出口、入口から出口まで空洞を通る流体路、及び入口と出口との間の軸線を有するボディと、ボディに枢動可能に連結され、第１端部、対向する第２端部、及び第１端部から軸線に向かって延在するラッチ部材を有する第１アームとを備え、コネクタが閉鎖位置にあるときは、出口においてボディに連結されたシール部が出口を跨いで延在し、コネクタが開放位置にあるときは、嵌合ルアーを有する相互コネクタがシール部を通って延在する、医療用コネクタを提供する。幾つかの事例によって、コネクタが開放位置にあるときは、相互コネクタがボディに流体連結する。幾つかの実施例では、コネクタが開放位置にあるときは、ラッチ部材が相互コネクタの出口からの後退を規制する。
【００１３】
本主題の技術の追加の特徴及び利点は以下の説明内に記され、一部がその説明から明らかとなるか、又は本主題の技術の実施によって教示されてもよい。本主題の技術の利点は、本明細書の説明及び請求項並びに添付の図面において具体的に指摘される構造によって実現及び達成されよう。
【００１４】
上記の概略的な説明及び以下の詳細な説明の両方が、例示的且つ説明的であり、請求されている本主題の技術を更に説明することを意図するものであることを理解されたい。
【００１５】
本主題の技術の理解をより深めるために含まれ、且つ、この説明に組み込まれてその一部を構成する添付の図面が、本主題の技術の態様を示し、明細書と共に本主題の技術の原理を説明する働きをする。
【図面の簡単な説明】
【００１６】
【図１Ａ】本開示の態様に係る医療用コネクタの一実施例の斜視図を示す。
【図１Ｂ】図１Ａの医療用コネクタの立面図を示す。
【図１Ｃ】図１Ａの医療用コネクタの平面図を示す。
【図２】本開示の態様に係る医療用コネクタの一実施例の断面図である。
【図３Ａ】閉鎖位置にある図２の医療用コネクタの断面図を示し、医療用コネクタのルアー部と相互コネクタとの関係を示す。
【図３Ｂ】開放位置にある図２の医療用コネクタの断面図を示し、医療用コネクタと相互コネクタとの係合を示す。
【図４Ａ】本開示の態様に係る、閉鎖位置にある医療用コネクタの一実施例の断面図を示し、医療用コネクタのルアー部と相互コネクタとの関係を示す。
【図４Ｂ】開放位置にある図４Ａの医療用コネクタの断面図を示し、医療用コネクタと相互コネクタとの係合を示す。
【図５】本開示の態様に係る医療用コネクタの一実施例の斜視図を示す。
【図６】図５の医療用コネクタの断面図である。
【発明を実施するための形態】
【００１７】
以下の詳細な説明では、本主題の技術の理解のために具体的な詳細が記される。しかしながら、一般の当業者には、これらの具体的な詳細の一部を適用しなくても本主題の技術が実施可能であることが自明であろう。他の事例としては、本主題の技術を明瞭にするために、既知の構造及び技術は具体的に示されていない。
【００１８】
「態様」といった表現は、こうした態様が本主題の技術に対して不可欠であること、又はこうした態様が本主題の技術の全ての構成に適用されることを暗示するものではない。態様に関する開示が全ての構成又は１つ以上の構成に適用されてもよい。態様は本開示の１つ以上の例を提供してもよい。「態様」といった表現は１つ以上の態様及びその逆を意味してもよい。「一実施例」といった表現は、こうした実施例が本主題の技術に対して不可欠であること、又はこうした態様が本主題の技術の全ての構成に適用されることを暗示するものではない。一実施例に関する開示が全ての実施例又は１つ以上の実施例に適用されてもよい。一実施例は本開示の１つ以上の例を提供してもよい。「一実施例」といった表現は１つ以上の実施例及びその逆を意味してもよい。「構成」といった表現は、こうした構成が本主題の技術に対して不可欠であること、又はこうした構成が本主題の技術の全ての構成に適用されることを暗示するものではない。構成に関する開示が全ての構成又は１つ以上の構成に適用されてもよい。構成は本開示の１つ以上の例を提供してもよい。「構成」といった表現は１つ以上の構成及びその逆に言及してもよい。
【実施例１】
【００１９】
図１Ａ〜図６に示すように、医療用コネクタの実施例はボディを備え、ボディは入口と、出口と、出口においてボディに連結されるシール部と、ボディに連結された第１アーム及び第２アームとを有する。図１Ａ〜図２を参照すると、医療用コネクタ１００の一実施例が示されている。医療用コネクタ１００は、入口１０４と出口１０６とを有するボディ１０２を備える。ボディ１０２は、空洞１１０と、出口１０６に向かって空洞１１０の内部へと延在するオスルアー部１０８とを画成する。ボディ１０２とオスルアー部１０８と空洞１１０とによって、入口１０４と出口１０６との間の流体路が画成される。また、入口１０４と出口１０６との間に軸線１１２が画定される。一実施例では、ボディ１０２の外面から突起１１４が延出する。突起１１４は入口１０４と出口１０６との間に位置付けられる。幾つかの実施例では、突起１１４は、軸線１１２の両側においてボディ１０２から延出し、長尺のつまみ、溝、隆起、窪み、又は隙間を含む。
【００２０】
第１アーム１２０は第１端部１２２と、対向する第２端部１２４とを備える。第１アーム１２０は、第１端部１２２と出口１０６とが隣接するように、そして第２端部１２４と入口１０４とが隣接するように、軸線１１２と同軸上にボディ１０２に連結される。第２アーム１３０も、第１端部１３２と出口１０６とが隣接するように、そして第２端部１３４と入口１０４とが隣接するように、軸線１１２と同軸上にボディ１０２に連結される。各アーム１２０及び１３０は、（他の形状も用いられてもよいが）軸線１１２を中心とした弓形のような形状をもち、各突起１１４に向かってボディ１０２の一部の周囲に延在する。幾つかの実施例では、アーム１２０及び１３０は、例えば機械加工又は鋳造によってボディ１０２と単一に形成される。一実施例では、第１アーム１２０及び第２アーム１３０はボディ１０２に枢動可能に連結される。
【００２１】
幾つかの実施例では、各アーム１２０及び１３０は、各アーム１２０と１３０との間に配置されるブリッジ１６０によって連結される。幾つかの実施例では、ブリッジ１６０は、ボディ１０２上で突起１１４と嵌合するように構成されたつまみ、溝、隆起、窪み、又は隙間を含む。幾つかの実施例では、ブリッジ１６０は、ブリッジを通り部分的に出口１０６に向かって延在する細長いスリット１６２を画成する。第１アーム１２０及び第２アーム１３０は、出口１０６を第１端部１２２及び１３２の方向に向けて、ボディ１０２を第１アーム１２０と第２アーム１３０との間に挿入することでボディ１０２に連結される。この方向で、各突起１１４をブリッジ１６０の細長いスリット１６２に入れることで、各アーム１２０及び１３２とボディ１０２とを連結する。
【００２２】
幾つかの態様では、ブリッジ１６０はボディ１０２に向かって延出する突起を含む。突起はボディ１０２の凹部と嵌合するように構成されてもよい。各ブリッジ１６０から延出する突起の先端間の断面幅は、ボディ１０２の外面の断面幅より小さくてもよい。第１アーム１２０及び第２アーム１３０は、出口１０６を第１端部１２２及び１３２の方向に向けて、ボディ１０２を第１アーム１２０と第２アーム１３０との間に挿入することでボディ１０２に連結される。ボディ１０２が突起の間を進むにつれて、各アーム１２０と１３０との間のブリッジ１６０が軸線１１２から離れるように付勢される。各突起がボディ１０２の対応する凹部と並ぶと、各ブリッジ１６０は、突起が凹部で受けられて各アーム１２０及び１３０がボディ１０２と連結するように、軸線１１２に向かって戻ることが可能になる。
【００２３】
幾つかの実施例では、各アームは、第１端部１２２及び１３２と突起１１４との間の第１モーメント８２２と、第２端部１２４及び１３４と突起１１４との間の第２モーメント８２４とを備える。幾つかの実施例では、第１モーメント８２２が第２モーメント８２４よりも大きくなるように、第１端部１２２及び１３２と突起１１４との間の距離は、第２端部１２４及び１３４と突起１１４との間の距離よりも大きい。
【００２４】
引き続き図１Ａ〜図２を参照すると、第１アーム１２０の第１端部１２２及び第２アーム１３０の第１端部１３２のそれぞれは、第１端部１２２及び１３２の縁部から軸線１１２に向かって横方向（又は径方向）内方に延在するラッチ部材１４０を備える。各ラッチ部材１４０は、傾斜面１４２と、係合面１４４と、頂点領域１４６とを備える。傾斜面１４２及び係合面１４４のそれぞれは互いに対して横方向に延在する。頂点領域１４６は、傾斜面１４２と係合面１４４との間の接合部に配置される。
【００２５】
シール部１１６がボディ１０２に連結される。一実施例では、シール部１１６はボディ１０２の出口１０６に連結され、出口１０６の縁部から軸線１１２に向かって延在する蓋１１８を含む。幾つかの実施例では、シール部１１６は、出口１０６の縁部から横方向内方に延在する１つ以上の蓋１１８を含む。幾つかの実施例では、シール部１１６はボディ１０２の空洞１１０に連結され、ベローズ部を含む。
【００２６】
図２は、医療用コネクタ１００の実施例の断面図を示す。ポスト１５２がルアー部１０８内の流体路を通って延在する。ポスト１５２は、開口端部と、対向する閉鎖端部と、開口端部と閉鎖端部との間の側壁を通る通路１５４とを有する内腔を画成する。幾つかの実施例では、ポスト１５２は、閉鎖端部の外側面上にシール部１５３を含み、ルアー部１０８の開口先端１０９を流体が流通するのを防止する。
【００２７】
図３Ａ及び図３Ｂは、相互コネクタ９００に関連する医療用コネクタ１００の実施例を示す。相互コネクタ９００は嵌合ルアー９０２を含む。嵌合ルアー９０２は上面９０４と隆起９０６とを含む。隆起９０６は、周外方延在部、外側面上のねじ山、又は増加した断面幅をもつ相互コネクタ９００の線分を含んでもよい。一実施例では、嵌合ルアー９０２は、医療用コネクタ１００のルアー部１０８を受けるように構成されたメスルアーである。
【００２８】
図３Ａを参照すると、ポスト１５２は、医療用コネクタ１００が閉鎖位置にあるとき、ルアー部１０８内の流体路を通って延在する。閉鎖位置では、ポスト１５２の閉鎖端部がルアー部１０８の開口先端１０９を密閉することで流体路を閉鎖する。幾つかの実施例では、かかり１５６がポスト１５２に接続し、ルアー部１０８の外部に沿って出口１０６に向かって延在する。
【００２９】
図３Ｂに示す開放位置では、医療用コネクタ１００は、ルアー部１０８が嵌合ルアー９０２と係合するように相互コネクタ９００に連結される。医療用コネクタ１００を開放位置にセットするために、医療用コネクタ１００の出口１０６と相互コネクタ９００の上面９０４とが、図３Ａに示すように軸線１１２に沿って並べられる。上面９０４は、医療用コネクタ１００又は相互コネクタ９００の少なくとも１つがそれらのいずれかに向かって移動すると、ラッチ部材１４０の頂点領域１４６を越えて通過することが可能になる。上面９０４がラッチ部材１４０の頂点領域１４６を越えて通過するにつれて、シール部１１６の蓋１１８が空洞１１０の内部へとずれる。相互コネクタ９００が医療用コネクタ１００の空洞１１０に更に入るにつれて、頂点領域１４６間の断面幅よりも大きい断面幅を有する隆起９０６が傾斜面１４２と係合し、これによって、各アーム１２０及び１３０の第１端部１２２及び１３２の軸線１１２から離れるように付勢される。相互コネクタ９００が、頂点領域１４６が隆起９０６を越えるように空洞１１０へと挿入されると、各アーム１２０及び１３０の第１端部１２２及び１３２は、図３Ｂに示すように、係合面１４４と隆起９０６とが隣接するように軸線１１２に向かって戻ることが可能になる。
【００３０】
引き続き図３Ｂを参照すると、医療用コネクタ１００のルアー部１０８は、上面９０４を通って嵌合ルアー９０２の内部へと延在して、柔軟弁９０８をずらす。かかり１５６及びポスト１５２は、上面９０４によってルアー部１０８の先端１０９から強制的に引き離される。開放位置では、ポスト１５２の閉鎖端部がルアー部１０８の先端１０９からずれるため、これによって、ルアー部１０８の先端１０９とポスト１５２の内腔との間で通路１５４を通る流れが許容される。
【００３１】
開放位置では、相互コネクタ９００の、入口１０４から離れる反対方向への動きが、係合面１４４によって規制される。医療用コネクタ１００と相互コネクタ９００とは、各アームの第２端部１２４及び１３４の軸線１１２に向かって付勢されることで分離され、これによって、各アームの第１端部１２２及び１３２並びにラッチ部材１４０が軸線１１２から離れる。第１端部１２２及び１３２並びにラッチ部材１４０が、頂点領域１４６間の断面幅が隆起９０６の断面幅よりも大きくなるように軸線１１２から離れると、医療用コネクタ１００を軸線方向に離すように動かして、相互コネクタ９００を空洞１１０から引き出すことができる。
【００３２】
図４Ａ及び４Ｂは、ボディ４０２を備え、ボディ４０２は入口４０４と、出口４０６と、ボディ４０２に連結された第１アーム４２０とを有する医療用コネクタ４００の一実施例を示す。シール部４１６が、ボディ４０２によって画成される空洞４１０内に配置される。幾つかの実施例では、シール部４１６は、入口４０４と出口４０６との間に軸線４１２を中心にして配置されたシリンダーである。シール部４１６は、ベローズ部４２３を有する基部と、接合部４２１を有する対向するヘッドとを含む。ベローズ部４２３は、シール部４１６が軸線４１２に沿って圧縮又は膨張するのを可能にする。幾つかの実施例では、接合部４２１は、軸線４１２を中心にして周囲に配置されて、ヘッドから出口４０６に向かって延在するリングである。蓋４１８が、ヘッドの接合部４２１から軸線４１２に向かって横方向内方に延在する。接合部４２１は相互コネクタ９００の上面９０４と係合して、相互コネクタ９００の力をシール部４１６のベローズ部４２３及び蓋４１８に分散させる。図４Ａに示す閉鎖位置では、ルアー部４０８がシール部４１６によって封止されるように、ベローズ部４２３は膨張状態にあり、蓋は軸線４１２に向かって延在する。
【００３３】
医療用コネクタ４００を開放位置にセットするために、医療用コネクタ４００の出口４０６及び相互コネクタ９００の上面９０４は、図４Ａに示すように軸線４１２に沿って並べられる。上面９０４は、医療用コネクタ４００又は相互コネクタ９００の少なくとも１つがそれらのいずれかに向かって移動すると、ラッチ部材４４０の頂点領域４４６を越えて通過することが可能になる。上面９０４がラッチ部材４４０の頂点領域４４６を越えて通過すると、上面９０４は接合部４２１に係合する。上面９０４が入口４０４に向かって更に移動すると、シール部４１６のベローズ部４２３が軸線方向に圧縮される。シール部４１６が軸線方向に圧縮されるにつれて、蓋４１８がルアー部４０８の先端４０９に係合する。シール部４１６が更に軸線方向に圧縮されることで、図４Ｂに示すように、蓋４１８は出口４０６に向かって強制的にずらされる。
【００３４】
医療用コネクタ４００と相互コネクタ９００とが、相互コネクタ９００の上面９０４がシール部４１６を軸線方向に圧縮するように共に移動している間、頂点領域４４６間の断面幅よりも大きな断面幅を有する隆起９０６が傾斜面４４２と係合し、これによって、第１アーム４２０の第１端部４２２の軸線４１２から離れるように付勢される。相互コネクタ９００が、頂点領域４４６が隆起９０６を越えるように空洞４１０へと挿入されると、第１アーム４２０の第１端部４２２は、係合面４４４と隆起９０６とが隣接するように軸線４１２に向かって戻ることが可能になる。
【００３５】
引き続き図４Ｂを参照すると、医療用コネクタ４００のルアー部４０８は、上面９０４を通って嵌合ルアー９０２の内部へと延在して、柔軟弁９０８をずらし、かかり４５６及びポスト４５２は、上面９０４によってルアー部４０８の先端４０９から強制的に引き離される。開放位置では、ポスト４５２の閉鎖端部はルアー部４０８の先端４０９からずれるため、これによって、通路４５４を通るルアー部４０８の先端４０９とポスト４５２の内腔との間の流れが許容される。
【００３６】
閉鎖位置では、相互コネクタ９００の、入口４０４から離れる反対方向への動きが、係合面４４４によって規制される。医療用コネクタ４００と相互コネクタ９００とは、各アームの第２端部の軸線４１２に向かって付勢されることで分離され、これによって、各アームの第１端部及びラッチ部材４４０が軸線４１２から離れる。第１端部が、頂点領域４４６間の断面幅が隆起９０６の断面幅よりも大きくなるように、軸線４１２から離れると、医療用コネクタ４００を上面から軸線方向に離すように動かして、相互コネクタ９００から分離することができる。
【００３７】
図５及び図６を参照すると、医療用コネクタ５００の一実施例が示されている。医療用コネクタ５００は、入口５０４と出口５０６とを有するボディ５０２を備える。ボディ５０２は、空洞５１０と、出口５０６に向かって空洞５１０の内部へと延在するオスルアー部５０８とを画成する。ボディ５０２とオスルアー部５０８と空洞５１０とによって、入口５０４と出口５０６との間の流体路が画成される。また、入口５０４と出口５０６との間に軸線５１２が画定される。ボディ５０２の外面から突起５１４が延出する。突起５１４は入口５０４と出口５０６との間に位置付けられる。幾つかの実施例では、突起５１４は軸線５１２に対向する側にボディ５０２から延出し、長尺のつまみ、溝、隆起、窪み、又は隙間を含む。
【００３８】
第１アーム５２０は、第１端部５２２と、対向する第２端部５２４とを備える。第１アーム５２０は、第１端部５２２と出口５０６とが隣接するように、そして第２端部５２４と入口５０４とが隣接するように、軸線５１２と同軸上にボディ５０２に連結される。第２アーム５３０も、第１端部５３２と出口５０６とが隣接するように、そして第２端部５３４と入口５０４とが隣接するように、軸線５１２と同軸上にボディ５０２に連結される。第１アーム５２０及び第２アーム５３０のそれぞれは、軸線５１２を中心とした弓形のような形状をもち、各突起５１４に向かってボディ５０２の一部の周囲に延在する。幾つかの実施例では、アーム５２０及び５３０は、例えば機械加工又は鋳造によってボディ５０２と単一に形成される。一実施例では、第１アーム５２０及び第２アーム５３０はボディ５０２に枢動可能に連結される。
【００３９】
一実施例では、各アーム５２０及び５３０は、各アーム５２０と５３０との間に配置されるブリッジ５６０によって連結される。幾つかの実施例では、ブリッジ５６０は、ボディ５０２上で突起５１４と嵌合するように構成されたつまみ、溝、隆起、窪み、又は隙間を含む。幾つかの実施例では、各ブリッジ５６０は、内側面に沿って部分的に出口５０６に向かう細長いスリット５６２を画成する。第１アーム５２０及び第２アーム５３０は、出口５０６を第１端部５２２及び５３２の方向に向けて、ボディ５０２を第１アーム５２０と第２アーム５３０との間に挿入することでボディ５０２に連結される。この方向で、各突起５１４をブリッジ５６０の細長いスリット５６２に入れることで、各アーム５２０及び５３２とボディ５０２とを連結する。
【００４０】
幾つかの態様では、ブリッジ５６０はボディ５０２に向かって延出する突起を含む。突起はボディ５０２の凹部と嵌合するように構成されてもよい。各ブリッジ５６０から延出する突起の先端間の断面幅は、ボディ５０２の外面の断面幅より小さくてもよい。第１アーム５２０及び第２アーム５３０は、出口５０６を第１端部５２２及び５３２の方向に向けて、ボディ５０２を第１アーム５２０と第２アーム５３０との間に挿入することでボディ５０２に連結される。ボディ５０２が突起の間を進むにつれて、各アーム５２０と５３０との間のブリッジ５６０が軸線５１２から離れるように付勢される。各突起がボディ５０２の対応する凹部と並ぶと、各ブリッジ５６０は、突起が凹部で受けられて各アーム５２０及び５３０がボディ５０２と連結するように、軸線５１２に向かって戻ることが可能になる。
【００４１】
幾つかの実施例では、ブリッジ５６０は出口５０６を越えて延在し、第１アーム５２０と第２アーム５３０とのラッチ部材５４０の間に配置されたガイド５６４で終端する。ガイド５６４は、軸線５１２に部分的に向かって延在する傾斜面５６６と頂点領域５６８とを含む。各頂点領域５６８間の断面幅は、相互コネクタ９００の嵌合ルアー９０２の外面以上の大きさである。各ガイド５６４の傾斜面５６６は、相互コネクタ９００の上面９０４を軸線５１２と並ぶように方向付ける。頂点領域５６８間の断面幅は、相互コネクタ９００の上面９０４及び隆起９０６が、各ラッチ部材５４０の頂点領域５６８を越えて通過するのを許容するものである。
【００４２】
第１アーム５２０の第１端部５２２及び第２アーム５３０の第１端部５３２のそれぞれは、第１端部５２２及び５３２の縁部から軸線５１２に向かって横方向内方に延在するラッチ部材５４０を備える。各ラッチ部材５４０は、傾斜面５４２と、係合面５４４と、頂点領域５４６とを備える。傾斜面５４２及び係合面５４４のそれぞれは互いに対して横方向に延在する。頂点領域５４６は、傾斜面５４２と係合面５４４との間の接合部に配置される。
【００４３】
一実施例では、各アーム５２０及び５３０はそれぞれ延長部５２５及び５３５を備える。わかりやすさ及び簡略化のために、以下の説明では第１アーム５２０を対象にする。しかしながら、一実施例では、各アームは素晴らしい特徴を備える。第１アームを参照すると、延長部５２５は第１端部５２２と突起５１４との間に連結される。延長部５２５は第１端部５２２から軸線５１２を越えて延在し、延長部５２５の軸線５１２に向かう動きが第１端部５２２の軸線５１２から離れるように付勢するようにする。一実施例では、延長部５２５はブリッジ５６０を覆って延在し、第２アーム５３０の少なくとも一部を覆う弧を備える。
【００４４】
シール部５１６がボディ５０２に連結される。一実施例では、シール部５１６はボディ５０２の出口５０６に連結され、出口５０６の縁部から軸線５１２に向かって延在する蓋５１８を含む。幾つかの実施例では、シール部５１６は、出口５０６の縁部から横方向内方に延在する１つ以上の蓋５１８を含む。幾つかの実施例では、ベローズ部を備えるシール部がルアー部５０８を囲み、開口部から軸線５１２に向かって延在する蓋を含むことで、空洞５１０内のルアー部５０８を封止する。
【００４５】
ポスト５５２がルアー部５０８内の流体路を通って延在する。ポスト５５２は、開口端部と、対向する閉鎖端部と、開口端部と閉鎖端部との間の側壁を通る通路５５４とを有する内腔を画成する。医療用コネクタ５００が閉鎖位置にあるとき、ポスト５５２の閉鎖端部がルアー部５０８の開口先端５０９を密閉し、これによって、流体路を閉鎖する。幾つかの実施例では、ポスト５５２は、閉鎖端部の外側面上にシール部５５３を含み、医療用コネクタ５００が閉鎖位置にあるときにルアー部５０８の開口先端５０９を流体が流通するのを防止する。
【００４６】
開放位置において医療用コネクタ５００が相互コネクタ９００と連結されると、ルアー部５０８は嵌合ルアー９０２と係合する。医療用コネクタ１００を開放位置にセットするために、医療用コネクタ５００の出口５０６と相互コネクタ９００の上面９０４とが軸線５１２に沿って並べられる。各ガイド５６４の傾斜面５６６は、医療用コネクタ５００又は相互コネクタ９００の少なくとも１つがそれらのいずれかに向かって移動すると、相互コネクタ９００の上面９０４を軸線５１２と並ぶように方向付ける。各ラッチ部材５４０の頂点領域５６８間の断面幅は、相互コネクタ９００の上面９０４及び隆起９０６が頂点領域５６８を越えて通過するのを許容するものである。相互コネクタ９００が医療用コネクタ５００の空洞５１０に更に入るにつれて、頂点領域５４６間の断面幅よりも大きい断面幅を有する隆起９０６が傾斜面５４２と係合し、これによって、各アーム５２０及び５３０の第１端部５２２及び５３２の軸線５１２から離れるように付勢される。相互コネクタ９００が、隆起９０６が頂点領域５４６を越えるまで空洞５１０へと挿入されると、各アーム５２０及び５３０の第１端部５２２及び５３２は、係合面５４４と隆起９０６とが隣接するように軸線５１２に向かって戻ることが可能になる。
【００４７】
開放位置では、ポスト５５２の閉鎖端部がルアー部５０８の先端５０９からずれるため、これによって、ルアー部５０８の先端５０９とポスト５５２の内腔との間で通路５５４を通る流れが許容される。
【００４８】
開放位置では、相互コネクタ９００の、入口５０４から離れる反対方向への動きが、相互コネクタ９００の隆起９０６に対向する各ラッチ部材５４０の係合面５４４によって規制される。医療用コネクタ５００と相互コネクタ９００とは、各アームの延長部５２５及び５３５の軸線５１２に向かって付勢されることで分離され、これによって、各アーム５２０及び５３０の第１端部５２２及び５３２並びにラッチ部材５４０が軸線５１２から離れる。第１端部５２２及び５３２が、頂点領域５４６間の断面幅が隆起９０６の断面幅よりも大きくなるように軸線５１２から離れると、医療用コネクタ５００を軸線方向に離すように動かして、相互コネクタ９００を空洞５１０から引き出すことができる。
【００４９】
上記の説明は、当業者が本明細書に記載の様々な構成を実現できるようにするために設けられる。本主題の技術は、様々な図面及び構成を参照して具体的に説明されているが、これらは例示的な目的のためだけのものであることが理解されるべきであり、本主題の技術の範囲を限定するものとして捉えられるべきではない。
【００５０】
本主題の技術を実現するには多くの他の方法がありうる。本明細書に記載の様々な機能及び要素が、本主題の技術の範囲から逸脱することなく、示されているものとは異なるように区分けされてもよい。これらの構成の様々な変形例が当業者には容易に自明となることが考えられ、本明細書に定義される包括的な原理が他の構成に適用されてもよい。従って、多くの変更又は変形例が、当業者によって、本主題の技術の範囲から逸脱することなく、本主題の技術に対して作られてもよい。
【００５１】
本明細書で使用されるような、一連の項目に続く表現「の少なくとも１つ」は、それらの項目のいずれかを分離する用語「及び」又は「又は」が伴い、その一覧の各要素（すなわち各項目）ではなく一覧全体を変更する。表現「の少なくとも１つ」は、一覧にある各項目の少なくとも１つを選択することを要求するのではなく、むしろ、この表現は、項目のいずれか１つを少なくとも１つ、及び／又は、項目の任意の組み合わせの少なくとも１つ、及び／又は、項目のそれぞれのうちの少なくとも１つを含む意味を許容する。例としては、表現「Ａ、Ｂ及びＣの少なくとも１つ」又は表現「Ａ、Ｂ又はＣの少なくとも１つ」は、それぞれＡのみ、Ｂのみ又はＣのみを意味してもよいし、ＡとＢとＣとの任意の組み合わせを意味してもよいし、Ａ、Ｂ及びＣのそれぞれのうちの少なくとも１つを意味してもよい。
【００５２】
また、用語「含む」又は「有する」等が用いられる範囲において、こうした用語は、用語「備える」が請求項内での暫定的な語として採用された場合に解釈されるように、「備える」と同様の手法で包括されるようになっている。本明細書では、語「例示的」は「例、事例又は例示として機能する」ことを意味するように使用される。本明細書で「例示的」として説明される任意の実施例は、他の実施例よりも好適又は有利なものとして解釈されなくてもよい。 
【００５３】
単数形の要素の参照は、特にそのような記載がない限りは「１つ及び１つのみ」を意味するようになってはおらず、むしろ「１つ以上」を意味するようになっている。用語「幾つか」は１つ以上を意味する。本開示を通して説明される様々な構成の要素に対する、当業者にとって既知である又は後から既知となる全ての構造的且つ機能的な同等性は、参照によって本明細書に明確に組み込まれ、本主題の技術によって包含されるようになっている。また、本明細書に開示されるものは、いずれも、こうした開示が上記の記載に明確に記されているか否かに関わらず、公共に対して限定されるものではない。
【００５４】
本主題の技術の或る態様及び実施例を説明したが、これらは例としてのみ提示したものであり、本主題の技術の範囲の限定を意図するものではない。実際、本明細書に記載の新規の方法及びシステムは、その精神から逸脱することなく、様々な他の形態で実施されてもよい。添付の請求項及びその同等物は、本主題の技術の範囲内及び精神内に含まれうるようなこうした形態又は変形例を包含するようになっている。
【国際調査報告】
2018519937.tif 000013
2018519937.tif 000014